(57)【要約】【課題】不要となった地下タンクを有効活用することができる地下タンクの再利用方法を提供する。【解決手段】地下タンク１の屋根４を撤去する屋根撤去工程と、地下タンク１の底版２と側壁３との連結を解除し、底版２と側壁３とを上下方向に相対移動可能な状態とする連結解除工程と、底版２と側壁３との隙間を介して底版２の下方から上方に地下水Ｗが流出することを防止する止水工程と、連結解除工程および止水工程の後に、底版に下方から地下水圧を作用させて底版２を浮上させる底版浮上工程と、を有し、底版浮上工程で浮上した底版２を浮体基礎として利用する。【選択図】図１
2017008506.tif 000002
【特許請求の範囲】
【請求項１】
地下タンクの屋根を撤去する屋根撤去工程と、
前記地下タンクの底版と側壁との連結を解除し、底版と側壁とを上下方向に相対移動可能な状態とする連結解除工程と、
前記底版と前記側壁との隙間を介して前記底版の下方から上方に地下水が流出することを防止する第１止水工程と、
前記連結解除工程および前記第１止水工程の後に、前記底版に下方から地下水圧を作用させて該底版を浮上させる底版浮上工程と、を有し、
該底版浮上工程で浮上した前記底版を浮体基礎として利用することを特徴とする地下タンクの再利用方法。
【請求項２】
前記底版浮上工程の後に、前記底板と前記側壁との隙間に止水材を設置する第２止水工程を有することを特徴とする請求項１に記載の地下タンクの再利用方法。
【請求項３】
前記底版浮上工程で浮上した前記底版を風力発電装置の基礎部として利用することを特徴とする請求項１または２に記載の地下タンクの再利用方法。
【発明の詳細な説明】
【技術分野】
【０００１】
本発明は、地下タンクの再利用方法に関する。
【背景技術】
【０００２】
従来、不要となった地下タンクは、特許文献１に開示されているように地下タンク全体が解体撤去されたり、屋根が撤去されて内部が埋め戻された後に地面が緑化されたりしている。
【先行技術文献】
【特許文献】
【０００３】
【特許文献１】特開２０００−２４００７７号公報
【発明の概要】
【発明が解決しようとする課題】
【０００４】
不要となった地下タンクは、地下部分の底版や側壁が耐久性において何ら問題ないことがある。このため、耐久性において問題のない底版や側壁の有効活用が望まれている。
【０００５】
そこで、本発明は、不要となった地下タンクを有効活用することができる地下タンクの再利用方法を提供することを目的とする。
【課題を解決するための手段】
【０００６】
上記目的を達成するため、本発明に係る地下タンクの再利用方法は、地下タンクの屋根を撤去する屋根撤去工程と、前記地下タンクの底版と側壁との連結を解除し、底版と側壁とを上下方向に相対移動可能な状態とする連結解除工程と、前記底版と前記側壁との隙間を介して前記底版の下方から上方に地下水が流出することを防止する第１止水工程と、前記連結解除工程および前記第１止水工程の後に、前記底版に下方から地下水圧を作用させて該底版を浮上させる底版浮上工程と、を有し、該底版浮上工程で浮上した前記底版を浮体基礎として利用することを特徴とする。
【０００７】
本発明では、不要となった地下タンクの底版を地下水圧で上昇させて浮体基礎として再利用できるため、地下タンクを撤去してから新たに構造物を構築する場合と比べて、地下タンクの撤去や構造物の構築にかかるコストを削減できるとともに、工期を短縮することができる。また、不要となった地下タンクを再利用できるため、地下タンクを撤去してから新たに構造物を構築する場合と比べて、環境負荷を低減させることができる。
また、底版は、浮体基礎となるため、地震の影響が少ない構造物を構築することができる。
【０００８】
また、本発明に係る地下タンクの再利用方法では、前記底版浮上工程の後に、前記底板と前記側壁との隙間に止水材を設置する第２止水工程を有する構成としてもよい。
このような構成とすることにより、第１止水工程による止水材が損傷した場合でも底版と側壁との隙間から底版の上方に地下水が吹出すことを防止できる。
【０００９】
また、本発明に係る地下タンクの再利用方法では、前記底版浮上工程で浮上した前記底版を風力発電装置の基礎部として利用することが好ましい。
このような構成とすることにより、風力発電装置の構築にかかるコストを削減できるとともに、工期を短縮することができる。
【発明の効果】
【００１０】
本発明によれば、不要となった地下タンクを有効活用することができる。
【図面の簡単な説明】
【００１１】
【図１】本発明の実施形態による地下タンクの一例を示す図である。
【図２】地下タンクを再利用した風力発電装置を示す図である。
【発明を実施するための形態】
【００１２】
以下、本発明の実施形態による地下タンクの再利用方法について、図１および図２に基づいて説明する。
まず、再利用する既存の地下タンクについて説明する。
図１に示すように、本実施形態による既存の地下タンク１は、例えば液化天然ガス（ＬＮＧ）などを貯蔵するタンクで、地中に設けられた平面視略円形状の底版２と、底版２の外周から上方に立ち上がる略円筒状の側壁３と、側壁３の上端部に設けられた屋根４と、側壁３を囲む略円筒状の地中連続壁５と、底版２の下方の地下水Ｗを地上に揚水可能な揚水装置６と、を有している。
【００１３】
地中連続壁５は、下端部が底版２および側壁３よりも下方の不透水層１１に根入れされている。
地中連続壁５の内側で底版２の下方には、砕石層７が形成されている。砕石層７には、地中連続壁５の内側で底版２の下方の領域の地下水Ｗが上昇して貯留可能に構成されている。また、地中連続壁５の内側で底版２の下方には、砕石層７と隣接して、砕石層７に貯留した地下水Ｗが集水される集水槽８が設けられている。
【００１４】
揚水装置６は、集水槽８に集水された地下水Ｗを地上に揚水可能に構成されている。揚水装置６は、底版２の下方に地下水Ｗによって底版２に作用する地下水圧が所定の値に維持されるように、底版２の下方に地下水Ｗを揚水している。
【００１５】
底版２は、鉄筋コンクリートなどで形成されている。底版２の外縁部は、下部側が上部側よりも突出している。この底版２の外縁部の下部側の突出している部分を第１突出部２１とし、第１突出部２１の上側で第１突出部２１に対して凹んでいる部分を第１切欠き部２２とする。
【００１６】
側壁３は、下端部が底版２の下端部と略同じ高さに配置され、上端部が地盤面１２よりも上側に配置されている。側壁３の内周面の下端部のやや上側には、内側に突出する第２突出部３１が形成されている。第２突出部３１の下側で第２突出部３１に対して凹んでいる部分を第２切欠き部３２とする。
底版２と側壁３とが地下タンク１として正位置に配置されると、底版２の第１突出部２１が側壁３の第２突出部３１の直下に配置され、底版２の第１突出部２１が側壁３の第２切欠き部３２と嵌合し、側壁３の第２突出部３１が底版２の第１切欠き部２２と嵌合している。底版２と側壁３との間には、目地材が設置されている。
【００１７】
続いて、地下タンク１の再利用方法について説明する。本実施形態では、地下タンク１の底版２を風力発電装置１０の基礎部として再利用する。
まず、地下タンク１の屋根４を撤去する（屋根撤去工程）。
屋根４を撤去するには、側壁３と屋根４との連結を解除し、側壁３から屋根４を取り外す。
【００１８】
続いて、底版２と側壁３との連結を解除する（連結解除工程）。
底版２と側壁３との連結を解除するには、底版２の第１突出部２１のうち側壁３と上下方向に重なる部分、および側壁３の第２突出部３１のうち底板２と上下方向に重なる部分を切除する。これにより、底版２と側壁３との連結が解除されるとともに、底版２と側壁３とが上下方向に重なる部分がない状態となり、底版２と側壁３とが上下方向に相対移動可能となる。
【００１９】
続いて、底版２と側壁３との間の止水処理を行う（第１止水工程）。
本実施形態では、底版２と側壁３との隙間の下側に止水シート９（図２参照）を設ける。止水シート９は、底板２に形成された二重蓋２３，２３を有する仮設の開口２４から底板２下の水中に潜水したダイバーによって設置されている。止水シート９は、底版２の下面の外縁部に沿って環状に設けられている。止水シート９は、径方向の断面形状が略Ｌ字状になるように屈曲されていて、屈曲されている部分の一方側が底版２の下面の外縁部に密着して固定され、他方側が側壁３と密着した状態で側壁３に沿って上下方向に移動可能となっている。
底版２と側壁３との隙間の下側に止水シート９が設けられることで、底版２と側壁３との隙間を介して底版２の下方から上方に地下水Ｗが流出することが防止される。
【００２０】
続いて、図２に示すように、底版２に下方から水圧を作用させて底版２を浮上させる（底版浮上工程）。
まず、揚水装置６の駆動を停止し、底版２の下方に地下水Ｗを貯留させる。そして、この底版２の下方に貯留された地下水Ｗの水圧によって底版２を浮上させる。このとき、底版２と側壁３との隙間の下側に止水シート９が設けられていることにより、底版２と側壁３との隙間から底版２の上方に地下水Ｗが吹出さない。
【００２１】
なお、底板２上に設置する構造物の設置期間や重要度を考慮し、より止水を確実にする必要がある場合は、底板２と側壁３との隙間に例えば樹脂材料などで形成された止水シール材１３を設置する第２止水工程を行うことが好ましい。第２止水工程を行うことによって、止水シート９が損傷した場合でも底版２と側壁３との隙間から底版２の上方に地下水Ｗが吹出すことを防止できる。
【００２２】
続いて、上昇した底版２を基礎部として風力発電装置１０を構築する（風力発電装置構築工程）。
底版２が浮上して安定した状態となったら、風力発電装置１０の支柱１０１をアンカー材などの固定具１０２を用いて底版２の上部に立設する。そして、支柱１０１にブレード（不図示）や発電機（不図示）などの風力発電装置１０を構成する部材を設置する。
このようにして、地下タンク１の躯体を再利用した風力発電装置１０が構築される。本実施形態では、底版２は厚さが５ｍ程度に形成されており、風力発電装置１０の基礎部として十分な形状および強度となっている。
【００２３】
次に、上述した地下タンク１の再利用方法の作用・効果について図面を用いて説明する。
上述した本実施形態による地下タンク１の再利用方法では、不要となった地下タンク１の底版２を地下水圧で上昇させて浮体基礎として再利用できるため、地下タンク１を撤去してから新たに風力発電装置１０を構築する場合と比べて、地下タンク１の撤去や風力発電装置１０の構築にかかるコストを削減できるとともに、工期を短縮することができる。また、不要となった地下タンク１を再利用できるため、地下タンク１を撤去してから新たに風力発電装置１０を構築する場合と比べて、環境負荷を低減させることができる。
また、底版２は、浮体基礎となるため、地震の影響が少ない風力発電装置１０を構築することができる。
【００２４】
以上、本発明による地下タンクの再利用方法の実施形態について説明したが、本発明は上記の実施形態に限定されるものではなく、その趣旨を逸脱しない範囲で適宜変更可能である。
例えば、上記の実施形態では、浮上させた底版２の上部に風力発電装置と構築しているが、風力発電装置１０以外の構造物を構築してもよい。
また、上記の実施形態では、屋根撤去工程の後に連結解除工程および第１止水工程を行っているが、連結解除工程および第１止水工程の後に屋根撤去工程を行ってもよい。
また、上記の実施形態では、底版２と側壁３とは、地下タンク１として使用される際に底版２の第１突出部２１が側壁３の第２切欠き部３２と嵌合し、側壁３の第２突出部３１が底版２の第１切欠き部２２と嵌合するように接合されているが、底版２と側壁３とが接合されている形態は上記以外であってもよい。
また、第１止水工程および第２止水工程で使用される止水材は適宜設定されてよい。
【符号の説明】
【００２５】
１  地下タンク
２  底版
３  側壁
４  屋根
６  揚水装置
９  止水シート
１０  風力発電装置（構造物）
１３  止水シール材（止水材）
Ｗ  地下水
【図１】
2017008506.tif 000003
【図２】
2017008506.tif 000004